(57)【要約】【課題】生産コストを可及的に低減する。【解決手段】底板７とその底板７に設けられた周壁８、９とからなる電池収容部１０に収容したボタン電池２のプラス極にプラス端子５が電気的に接触すると共に、マイナス極にマイナス端子６が電気的に接触する。前記プラス端子５及び／又はマイナス端子６が、細長のほぼ矩形状の金属片３０、４０を、前記周壁８、９に取り付けられるべく折り曲げて形成される取付部３１、４１と、その取付部３１、４１を形成する金属片３０、４０の一部に設けられ、周壁８、９と係合して取付部３１、４１を係止する係止部３２、４２と、前記取付部３１、４１より電池収容部１０側となる金属片３０、４０を折り曲げて電池収容部１０に収容したボタン電池２の電極に電気的に接触する接触端子部３４、４３とからなる。【選択図】　　　図１
2004039347.tif 000002
【特許請求の範囲】
【請求項１】
底板とその底板に設けられた周壁とからなる電池収容部に収容したボタン電池のプラス極にプラス端子が電気的に接触すると共に、マイナス極にマイナス端子が電気的に接触する電池ホルダ用端子において、
前記プラス端子及び／又はマイナス端子が、細長のほぼ矩形状の金属片を、前記周壁に取り付けられるべく折り曲げて形成される取付部と、その取付部を形成する金属片の一部に設けられ、周壁と係合して取付部を係止する係止部と、前記取付部より電池収容部側となる金属片を折り曲げて電池収容部に収容したボタン電池の電極に電気的に接触する接触端子部とからなることを特徴とする電池ホルダ用端子。
【請求項２】
前記ボタン電池が、マイナス極が底板側になるように電池収容部に収容され、前記周壁が、前記プラス端子及びマイナス端子がそれぞれ別々に取り付けられる対向する２つの周壁からなり、前記プラス端子の取付部と接触端子部との間に、前記電池収容部に収容されたボタン電池によって弾性変形してその付勢力によりボタン電池を他方の周壁に押圧する弾性端子部が設けられている請求項１に記載の電池ホルダ用端子。
【請求項３】
前記プラス端子の取付部が、ほぼコ字状に折り曲げられて形成され、前記弾性端子部が、ほぼＵ字状に折り曲げられて形成され、前記接触端子部が、前記電池収容部に収容されたボタン電池の離脱を防止すべくその電池のプラス極側円形表面に接触する接触片である請求項２に記載の電池ホルダ用端子。
【請求項４】
前記弾性端子部の前記ボタン電池に接触する箇所の両側部又は両側部近傍に、ボタン電池側に突出する接触部がそれぞれ設けられている請求項２又は３に記載の電池ホルダ用端子。
【請求項５】
前記接触片の先端部を、前記ボタン電池のプラス極側円形表面とは反対側に湾曲又は屈曲させた請求項３又は４に記載の電池ホルダ用端子。
【請求項６】
前記ボタン電池が、マイナス極が底板側になるように電池収容部に収容され、前記周壁が、前記プラス端子及びマイナス端子がそれぞれ別々に取り付けられる対向する２つの周壁からなり、前記マイナス端子の取付部が、ほぼコ字状に折り曲げられて形成されていると共に、その接触端子部が、前記取付部を一方の周壁に取り付けたとき、電池収容部に収容されたボタン電池のマイナス極側円形表面に接触すべく底板の近傍から底板に対して傾斜して折り曲げて形成されている請求項１乃至５のいずれか１項に記載の電池ホルダ用端子。
【請求項７】
前記接触端子部の先端部を、前記ボタン電池のマイナス極側円形表面とは反対側に湾曲又は屈曲させた請求項６に記載の電池ホルダ用端子。
【請求項８】
前記接触端子部の少なくとも前記ボタン電池のマイナス極側円形表面に接触する箇所が、先端部から端子の長手方向に沿って延在するスリットによって２つ以上の接触端子片に分割されている請求項６又は７に記載の電池ホルダ用端子。
【請求項９】
前記係止部が、前記端子の長手方向に沿って延在するコ字状の切り込みによって形成される係止片を前記取付部内に位置させてなる請求項１乃至８のいずれか１項に記載の電池ホルダ用端子。
【発明の詳細な説明】
【０００１】
【発明の属する技術分野】
本発明は、ボタン電池を収容する電池ホルダに用いられる電池ホルダ用端子に関するものである。
【０００２】
【従来の技術】
ボタン電池は、ＰＣ（パーソナルコンピュータ）、ゲーム機、ＡＶ機器等の配線基板にメモリをバックアップするために用いられている。ボタン電池は、配線基板に固着されている電池ホルダに着脱自在に収容されている。
電池ホルダとしては、既にいろいろなものが提案されており、例えば、ほぼ円形状の底板の周縁部に円筒形の周壁を設けて、円盤状のボタン電池を内側に収容できるホルダ本体（ほぼ有底円筒状のホルダ本体）と、そのホルダ本体に取り付けられた２つの端子とからなる。そのホルダ本体内にボタン電池を嵌め込んで収容させると、ボタン電池は周壁に設けられた抜出防止部によってホルダ本体から簡単に抜けないように収容されると共に、プラス端子がボタン電池のプラス極に、マイナス端子がボタン電池のプラス極にそれぞれ電気的に接続されるようになっている。
【０００３】
ところで、ボタン電池は、例えば、ＰＣ等の大量生産される配線基板等に用いられるため、このボタン電池を収容する電池ホルダも大量に生産される。このため、近年の低コスト化及び配線基板の軽量化を図る上ではできるだけ、電池ホルダの低コスト化及び軽量化を図りたいため、その電池ホルダに用いられる端子もできるだけ低コストで生産することが望まれている。
【０００４】
【発明が解決しようとする課題】
そこで、本発明は、このような実状に鑑みなされたものであり、その目的は、生産コストを可及的に低減することができる電池ホルダ用端子を提供することにある。
【０００５】
【課題を解決するための手段】
前記目的を達成するために、本発明の電池ホルダ用端子は、底板とその底板に設けられた周壁とからなる電池収容部に収容したボタン電池のプラス極にプラス端子が電気的に接触すると共に、マイナス極にマイナス端子が電気的に接触する電池ホルダ用端子において、前記プラス端子及び／又はマイナス端子が、細長のほぼ矩形状の金属片を、前記周壁に取り付けられるべく折り曲げて形成される取付部と、その取付部を形成する金属片の一部に設けられ、周壁と係合して取付部を係止する係止部と、前記取付部より電池収容部側となる金属片を折り曲げて電池収容部に収容したボタン電池の電極に電気的に接触する接触端子部とからなるものである（請求項１）。
【０００６】
このように構成することで、プラス端子及び／又はマイナス端子が細長のほぼ矩形状の金属片を折り曲げて形成されているため、１枚の金属板から多数のプラス端子及び／又はマイナス端子を製造する場合には、無駄になる部分が少ないので、大量生産には特に適し、生産コストを可及的に低減することができる。
【０００７】
前記ボタン電池が、マイナス極が底板側になるように電池収容部に収容され、前記周壁が、前記プラス端子及びマイナス端子がそれぞれ個別に取り付けられる対向する２つの周壁からなり、前記プラス端子の取付部と接触端子部との間に、前記電池収容部に収容されたボタン電池によって弾性変形してその付勢力によりボタン電池を他方の周壁に押圧する弾性端子部が設けられていることが好ましい（請求項２）。
【０００８】
このように、プラス端子の弾性端子部の付勢力によって電池収容部に収容されたボタン電池が他方の周壁に押圧されるため、プラス端子がボタン電池を電池収容部に収容（係止）させるために寄与しているので、ボタン電池を係止するための部材を少なくすることができ、電池ホルダとしての全体的な低コスト化につながる。
【０００９】
前記プラス端子の取付部が、ほぼコ字状に折り曲げられて形成され、前記弾性端子部が、ほぼＵ字状に折り曲げられて形成され、前記接触端子部が、前記電池収容部に収容されたボタン電池の離脱を防止すべくその電池のプラス極側円形表面に接触する接触片であることが好ましい（請求項３）。
これにより、プラス端子は、その形状が複雑ではなく簡単な形状であるので、容易に製造することができ、低コスト化を図れる。
【００１０】
前記弾性端子部の前記ボタン電池に接触する箇所の両側部又は両側部近傍に、ボタン電池側に突出する接触部がそれぞれ設けられていることが好ましい（請求項４）。
これにより、ボタン電池は端子の両側部又は両側部近傍の２つの接触部の２箇所に接触するので、端子の１箇所に接触する場合に比してボタン電池の横ずれを防止することができる。
【００１１】
前記接触片の先端部を、前記ボタン電池のプラス極側円形表面とは反対側に湾曲又は屈曲させることが好ましい（請求項５）。
これにより、例えば、ボタン電池を電池収容部に収容させるべく接触端子部に接触させるとき、接触片の先端部が板状であると、その先端部に引っかかることもあり得るが、湾曲又は屈曲させることにより、その心配もなく、ボタン電池の収容をスムーズに行える。また、電池収容部に収容されているボタン電池を取り外すときには、平板状の接触片がボタン電池の円形表面に接触している場合に比してボタン電池の取出を容易に行える。
【００１２】
前記ボタン電池が、マイナス極が底板側になるように電池収容部に収容され、前記周壁が、前記プラス端子及びマイナス端子がそれぞれ個別に取り付けられる対向する２つの周壁からなり、前記マイナス端子の取付部が、ほぼコ字状に折り曲げられて形成されていると共に、前記接触端子部が、前記取付部を一方の周壁に取り付けたとき、電池収容部に収容されたボタン電池のマイナス極側円形表面に接触すべく底板の近傍から底板に対して傾斜して折り曲げて形成されていることが好ましい（請求項６）。
これにより、マイナス端子は、その形状が複雑ではなく簡単な形状であるので、容易に製造することができ、低コスト化を図れる。
【００１３】
前記接触端子部の先端部を、前記ボタン電池のマイナス極側円形表面とは反対側に湾曲又は屈曲させることが好ましい（請求項７）。
これにより、電池収容部にボタン電池を収容するとき、接触端子部の先端部が板状であると、その先端部に引っかかることもあり得るが、湾曲又は屈曲させることにより、その心配もなく、ボタン電池の収容をスムーズに行える。
【００１４】
前記接触端子部の少なくとも前記ボタン電池のマイナス極側円形表面に接触する箇所が、先端部から端子の長手方向に沿って延在するスリットによって２つ以上の接触端子片に分割されていることが好ましい（請求項８）。
これにより、ボタン電池のマイナス極側円形表面に１つの接触端子部が接触する場合より２つ以上の接触端子片が接触する場合の方がボタン電池ががたつきにくいので、ボタン電池を電池収容部に安定して収容することができる。
【００１５】
前記係止部が、前記端子の長手方向に沿って延在するコ字状の切り込みによって形成される係止片を前記取付部内に位置させてなることが好ましい（請求項９）。
これにより、簡単な形状で確実に係止することができる係止部が得られる。
【００１６】
【発明の実施の形態】
以下、本発明の実施の形態を添付図面に基づいて詳述する。
図１乃至図８は本発明の電池ホルダ用端子が示めされている図である。図１乃至図３において、１は円盤状のボタン電池２を収容する電池ホルダを示す。
ボタン電池２は、市販されている円盤状に形成されているものである。ボタン電池２の円形面の一面がプラス極に、他の面がマイナス極として形成されている。プラス極の円形面はマイナス極の円形面より径が大きく形成され、このマイナス極の周縁部にはプラス極とマイナス極とを仕切る段差３が設けられている。つまり、ボタン電池２は、マイナス極側の円形面と周面（側面）とが連接されてプラス極として形成されている。
【００１７】
電池ホルダ１は、ボタン電池２を収容するホルダ本体４と、ホルダ本体４に取付けられ、収容されたボタン電池２のプラス極に電気的に接続されるプラス端子５と、ホルダ本体４に取付けられ、収容されたボタン電池２のマイナス極に電気的に接続されるマイナス端子６とからなる。
【００１８】
ホルダ本体４は、底板７と、その底板７の対向する２箇所に設けられる２つの周壁８、９とから一体的に絶縁材料例えば合成樹脂により成形され、その底板７と周壁８、９とにより電池収容部１０が形成される。
【００１９】
底板７は、少なくともボタン電池２の直径より長い長い部分があればどのような形状に形成してもよく、例えば、ボタン電池２の径より大径の円形平板状に形成されている。
底板７の周壁間８、９の一方の周壁８の近傍又は両方の周壁９の近傍、図示例では両方の周壁８、９の近傍には切欠部１１がそれぞれ設けられている。切欠部１１の形状は、特に限定されず、図示するようにほぼ矩形状でもよく、また円形状、矩形状、多角形状どのような形状に形成してもよい。
底板７の切欠部１１、１１間の厚さは、他の底板７の厚さより薄く形成することが好ましい。
【００２０】
２つの周壁８、９は、円形の底板７の周縁部の対向す２箇所にその平面に対してほぼ直交する方向に沿って一体的にそれぞれ設けられている。これら周壁８、９は、外周が底板７の周縁部の径とほぼ同径で、内周がボタン電池２（プラス極側の円形面）の外径より小径の円弧状にそれぞれ形成されている。これら周壁の一方は、その周方向の長さが比較的長い第１周壁８として、他方は第１周壁８より周方向の長さが短い第２周壁９として形成されている。これら第１周壁８と第２周壁９とは、厚さがほぼ同じで同一の軸を中心とした円周上に配設されている。第１、第２周壁８、９の高さは、底板７からボタン電池２の厚さよりやや高く形成されている。
【００２１】
また、第１周壁８と第２周壁９とが設けられている底板７の周縁部には、ボタン電池２の電池収容部１０への逆向き（プラス面が底板７側になる向き）の挿入を防止する段部１２がそれぞれ一体的に設けられている。
段部１２は、マイナス面の周縁部の段差３を利用してボタン電池２の逆向きの挿入を防止するものであり、ボタン電池２のマイナス極の円形面の周縁部の形状に嵌合するように形成されている。つまり、段部１２は、ボタン電池２の円形面の周縁部がプラス極の場合には平面状に形成され、マイナス極の場合には段差３が設けられているので、その段差３に嵌合するように形成されている。
【００２２】
第１周壁８の周方向のほぼ中央部には、第１端子装着部１３が一体的に設けられていると共に、第２周壁９の周方向のほぼ中央部には、第２端子装着部１４が一体的に設けられている。
第１端子装着部１３は、一対の脚部１５、１６と、それら脚部１５、１６間を連結すると共にプラス端子５が取り付けられる端子取付部１７とからなる。
【００２３】
一対の脚部１５、１６は、第１周壁８の中央部から周方向にそれぞれ所定の距離離間した底板７の周縁部の２箇所に、第１、第２周壁８、９の対向方向に沿ってほぼ平行に延在する板状にそれぞれ形成されている。これら脚部８、９の互いに対向する内面の底板９の周縁部上より少し径方向外方には、その径方向に対してほぼ直交する方向に沿って延在する端子取付部１７が一体的に設けられている。
【００２４】
端子取付部１７は、ほぼ矩形平板状に形成され、電池収容部１０側の表面（第１面）１７ａが底板７の外周の円周上より径方向外方に位置されている。
端子取付部１７の底板７側の底板７とほぼ平行な面（下面）は、底板７の裏面の近傍の箇所に位置されていると共に、下面と対向する面（上面）は、底板７側の端部からほぼボタン電池２の厚さ離間した箇所（第１周壁８の延出端部（底板７とは反対側の端部）より底板７側に所定の距離離間した箇所）に位置されている。
【００２５】
端子取付部１７の第１面１７ａには、上面側の端部の近傍から下面側の端部までに係合部である断面ほぼ凹状の凹溝１８が設けられている。
端子取付部１７の反対の面（第２面）１７ｂには、下面側の端部の近傍から上面の端部にかけて漸次傾斜した傾斜面１９が設けられている。
【００２６】
第２端子装着部１４は、第１端子装着部１３と同様に、一対の脚部２０、２１と、それら脚部２０、２１間を連結すると共にマイナス端子６が取り付けられる端子取付部２２とからなる。
一対の脚部２０、２１は、第２周壁９の中央部から周方向にそれぞれ所定の距離離間した底板７の周縁部の２箇所に、第１、第２周壁８、９の対向方向に沿ってほぼ平行に延在する板状にそれぞれ形成されている。これら脚部２０、２１の互いに対向する内面の底板７の周縁部上より少し径方向外方には、その径方向に対してほぼ直交する方向に沿って延在する端子取付部２２が一体的に設けられている。
【００２７】
端子取付部２２は、ほぼ矩形平板状に形成され、電池収容部１０側の表面（第１面）２２ａが底板７の外周の円周上より径方向外方に位置されている。
端子取付部２２の底板７側の底板７とほぼ平行な面（下面）は、底板７の裏面の近傍の箇所に位置されていると共に、下面と対向する面（上面）は、底板７側の端部からほぼボタン電池２の厚さ離間した箇所（第２周壁９の延出端部（底板７とは反対側の端部）より底板７側に所定の距離離間した箇所）に位置されている。
端子取付部２２の両面２２ａ、２２ｂには、下面側の端部の近傍から上面の端部にかけて漸次傾斜した傾斜面２３、２４がそれぞれ設けられている。
【００２８】
この第２端子装着部１４に連設する第２周壁９の延出端部には、第１周壁方向に沿って底板７とほぼ平行に延在する突出片２５、２５が設けられている。突出片２５、２５は、電池収容部１０に収容したボタン電池２の離脱を防止すべくボタン電池２のプラス極側円形表面に接触するものである。突出片２５、２５の突出端部は、その突出端部と対向する第１周壁８との間の長さがボタン電池２（プラス極側円形面）の直径より若干長くなるような位置に配設されている。
【００２９】
プラス端子５は、図１及び図４に示すように、細長のほぼ矩形状の例えば金属片３０を、第１端子装着部１３の端子取付部１７に取り付けられるべく折り曲げて形成される取付部３１と、その取付部３１を形成する金属片３０の一部に設けられ、第１端子装着部１３の端子取付部１７と係合して取付部３１を係止する係止部３２と、ボタン電池２を第２周壁９上から斜め方向に接触させたとき、この接触箇所と対向する箇所のボタン電池２が前記突出片２５、２５を越えて電池収容部１０内に収容されるべく弾性変形する弾性端子部３３と、その弾性端子部３３より電池収容部１０側となる金属片３０を折り曲げて電池収容部１０に収容したボタン電池２のプラス極側の円形面に電気的に接触する接触端子部３４とからなるものである。
【００３０】
取付部３１は、第１端子装着部１３の端子取付部１７に着脱自在に取り付けることができるならばどのような形状に形成してもよく、例えば、コ字状、Ｕ字状、Ω状等の形状に形成され、好ましくは、端子取付部１７の形状に沿ってコ字状に形成することがよい。
弾性端子部３３は、弾性変形して電池収容部１０内にボタン電池２を収容させることができるならばどのような形状に形成してもよく、例えば、Ｕ字状、コ字状、Ω状等の形状に形成され、好ましくは、Ｕ字状に形成することがよい。
取付部３１と弾性端子部３３とは、その間に間隔を設けてもよいが、図示するように連続して設けるようにすることが好ましい。
【００３１】
すなわち、プラス端子５は、具体的には例えば、金属片３０を、配線基板に半田付けにより固着される固着部３５からほぼ直交する方向に沿って折り曲げる。この第１折曲部３６ａから第１端子装着部１３の端子取付部１７の長手方向の長さ（上面と下面との間の長さ）より若干長い長さ離間した位置で固着部３５側とは反対側にほぼ直交する方向に沿って折り曲げ、さらにその第２折曲部３６ｂから端子取付部１７の厚さより若干厚い長さ離間した位置で折り返すようにほぼ直交する方向に沿って折り曲げる。すなわち、金属片３０は、固着部３５からほぼコ字状に折り曲げられ、このコ字状に折り曲げられた部分が第１端子装着部１３の端子取付部１７に取り付けられる取付部３１として形成される。
【００３２】
さらに第３折曲部からほぼＵ字状に金属片３０を折り曲げる。Ｕ字状の底部は固着部３５の近傍に位置されると共に、その底部から先端部間での長さが基端部（第３折曲部３６ｃ）までの長さより長い位置に位置されている。この位置は、プラス端子５を第１端子装着部１３の端子取付部１７に取り付けて、電池収容部１０にボタン電池２を収容したとき、ボタン電池２のプラス極側の円形面より若干高い位置である。このＵ字状に折り曲げられた部分が弾性端子部３３であり、一種の板ばねとして構成されている。
【００３３】
さらに、金属片３０を、Ｕ字状の先端部からＵ字状の部分とは反対側に、固着部３５と平行する面より弾性端子部３３側に傾斜するように折り曲げて、ボタン電池２のプラス極側の円形面に接触する接触端子部である接触片３４として形成され、これにより、プラス端子５が形成される。
【００３４】
また、係止部３２は、取付部３１を第１端子装着部１３の端子取付部１７に取り付けたとき、端子取付部１７に係合してプラス端子５を係止することができるならば、金属片３０（端子５）の一部をどのように加工してもよく、例えば、金属片３０の中央部にその長手方向に沿って延在するコ字状の切り込みを設け、この切り込みにより形成された部分を利用して係止片とすることが好ましい。
【００３５】
具体的には例えば、金属片３０の第１折曲部３６ａの中央部に、金属片３０の長手方向であって第２折曲部３９ｂ方向に沿ってコ字状に延在する切り込みを設ける。この切り込みにより形成された部分を固着部３５と同一平面状に位置させることで、コ字状の第１係止片３７が形成される。この第１係止片３７が、プラス端子５を第１端子装着部１３の端子取付部１７に取り付けたとき、端子取付部１７の下面に面接触（係合）してプラス端子５が係止されるようになっている。
【００３６】
また、取付部３１と弾性端子部３３との２つを兼ねる弾性端子部３３の基端部側の金属片３０の基端部の近傍のほぼ中央部に、基端部方向に向ってコ字状に延在する切り込みを設ける。この切り込みにより形成された部分を取付部３１内へと好ましくは２５〜３５°特に好ましくは３０°傾斜するように折り曲げることで、第２係止片３８が形成される。この第２係止片３８が、プラス端子５を第１端子装着部１３の端子取付部１７に取り付けたとき、端子取付部１７の第１面１７ａの凹溝１８に係合してプラス端子５が係止されるようになっている。
【００３７】
また、弾性端子部３３のボタン電池２の周面が接触する箇所つまり先端部側の金属片３０の両側部又は両側部の近傍に、弾性端子部３３内とは反対側に突出した接触部３９、３９をそれぞれ設けることが好ましい。接触部３９は、どのように形成してもよく、また、その形状も特に限定されず、例えば、図示するように両側部に設ける場合には、半円形状に突出させてもよい。また、接触部３９は、両側部の近傍に設ける場合には、図６に示すように、平面部５１を設けてその平面部５１の両側部の近傍に円形状の突出部により形成してもよい。
【００３８】
また、プラス端子５の固着部３５は、配線基板に半田付けにより固着されるように取付部に対してほぼ直交する方向に沿って形成したが、配線基板の溝や貫通孔に挿入する場合には、図５に示すように、固着部３５が連設されている取付部の面とほぼ平行に沿って延在するようにコ字状の連結部５０を介して形成するようにしてもよい。
また、接触片３４は平板状に形成してもよいが、接触片３４の先端部をボタン電池２のプラス極側円形表面とは反対側に湾曲又は屈曲させてもよい。例えば、図６に示すように、先端部近傍を接触片の折り曲げ方向とは反対側に例えばＲに折り曲げることが好ましい。
【００３９】
マイナス端子６は、図１及び図７に示すように、プラス端子５と同様に細長のほぼ矩形状の例えば金属片４０を折り曲げて形成されるものであり、第２端子装着部１４の端子取付部２２に取り付けられるべく折り曲げて形成される取付部４１と、その取付部４１を形成する金属片４０の一部に設けられ、第２端子装着部１４の端子取付部２２と係合して取付部４１を係止する係止部４２と、取付部４１より電池収容部１０側となる金属片４０を折り曲げて電池収容部１０に収容したボタン電池２のマイナス極側の円形面に電気的に接触する接触端子部４３とからなるものである。
取付部４１は、第２端子装着部１４の端子取付部２２に着脱自在に取り付けることができるならばどのような形状に形成してもよく、例えば、コ字状、Ｕ字状、Ω状等の形状に形成され、好ましくは、端子取付部の形状に沿ってコ字状に形成することがよい。
【００４０】
マイナス端子６は、具体的には例えば、金属片４０を、配線基板に半田付けにより固着される固着部４４からほぼ直交する方向に沿って折り曲げる。この第１折曲部４５ａから第２端装着部１４の端子取付部２２の長手方向の長さ（上面と下面との間の長さ）より若干長い長さ離間した位置で固着部４４側とは反対側にほぼ直交する方向に沿って折り曲げ、さらにその第２折曲部４５ｂから端子取付部２２の厚さより若干厚い長さ離間した位置で折り返すようにほぼ直交する方向に沿って折り曲げる。すなわち、金属片４０は、固着部４４からほぼコ字状に折り曲げられ、このコ字状に折り曲げられた部分が第２端子装着部１４の端子取付部２２に取り付けられる取付部４１として形成される。
【００４１】
さらに、金属片４０を、第３折曲部４５ｃから第２端子装着部１４の端子取付部２２の長手方向の長さ（上面と下面との間の長さ）より若干長い長さ離間した位置で固着部４４側とは反対側にほぼ直交する方向に沿って折り曲げる。さらにその第４折曲部４５ｄから所定の距離離間した位置で取付部４１側に傾斜するように折り曲げて、ボタン電池２のマイナス極の円形面に接触する接触端子部４３として形成し、これにより、マイナス端子６が形成される。
接触端子部４３の傾斜角度は、ボタン電池２のマイナス極の円形面に確実に接触するならば任意に決められ、例えば１５°〜２０°であることが好ましく、特に１８°であることが好ましい。
【００４２】
接触端子部４３の先端部は、傾斜方向とは反対側に湾曲又は屈曲させてもよい。例えば、先端部近傍を接触片の折り曲げ方向とは反対側に例えばＲに折り曲げることが好ましい。
また、接触端子部４３の幅方向のほぼ中央部には、基部（傾斜折曲部４５ｅ）の近傍から先端部にかけてスリット４６を設けて、２つの接触端子片４７、４７を構成し、これら２つの接触端子片４７、４７によりボタン電池２のマイナス極の円形面に接触するようにすることが好ましい。
【００４３】
また、係止部４２は、取付部４１を第２端子装着部１４の端子取付部２２に取り付けたとき、端子取付部２２に係合してプラス端子５を係止することができるならば、金属片４０（端子６）の一部をどのように加工してもよく、例えば、金属片の中央部にその長手方向に沿って延在するコ字状の切り込みを設け、この切り込みにより形成された部分を利用して係止片とすることが好ましい。
【００４４】
具体的には例えば、金属片４０の第１折曲部４５ａの中央部に、金属片４０の長手方向であって第２折曲部４５ｂ方向に沿ってコ字状に延在する切り込みを設ける。この切り込みにより形成された部分を固着部４４と同一平面状に位置させることで、コ字状の第１係止片４８が形成される。
また、金属片４０の第４折曲部４５ｄの中央部に、第３折曲部４５ｃに向ってコ字状に延在する切り込みを設ける。この切込みにより形成された部分を固着部４４と同一平面状に延在させることで、コ字状の第２係止片４９が形成される。これら第１、第２係止片４８、４９は、マイナス端子６を第２端子装着部１４の端子取付部２２に取り付けたとき、端子取付部２２の下面にそれぞれ面接触（係合）してマイナス端子６が係止されるようになっている。
【００４５】
なお、接触端子部４３は、第４折曲部４５ｄから所定の距離離間した位置で傾斜させて形成するが、第４折曲部４５ｄで例えば１５°〜２０°傾斜するように折り曲げて形成するようにしてもよい。
また、このマイナス端子６の固着部は、配線基板に半田付けにより固着されるように取付部４１に対してほぼ直交する方向に沿って形成したが、配線基板の溝や貫通孔に挿入する場合には、図８に示すように、固着部４４が連設されている取付部の面とほぼ平行に沿って延在するようにコ字状の連結部５０を介して形成するようにしてもよい。
【００４６】
さて、これらプラス端子５とマイナス端子６とを用いて電池ホルダ１を得るには、図１に示すように、ホルダ本体４の第１周壁８の第１端子装着部１３にプラス端子５を取り付けると共に、第２周壁９の第２端子装着部１４にマイナス端子６を取り付ける。
プラス端子５の取付は、具体的には、固着部３５がホルダ本体４の外側になるようにプラス端子５のほぼコ字状の取付部３１の開口部と第１端子装着部１３の端子取付部１７の上端部とをつき合わせて、プラス端子５の取付部３１を端子取付部１７に被せるように移動させ、取付部３１の第２折曲部３６ｂと第３折曲部３６ｃとの間の端子５が端子取付部１７の上端部に接触すると、第１係止片３７が端子取付部１７の下面に面接触（係合）すると共に、第２係止片３８が端子取付部１７の第１面１７ａの凹溝１８と係合し、プラス端子５がホルダ本体４に係止される。
【００４７】
このとき、端子取付部１７の第２面１７ｂには傾斜面１９が設けられているので、第１係止片３７が取付部３１内に延在していても、容易にプラス端子５を第１端子装着部１３の端子取付部１７に取り付けることができる。
また、係止部３２である第１、第２係止片３７、３８は、端子５の長手方向に沿って延在するコ字状の切り込みによって形成されているため、簡単な形状で確実にプラス端子５の係止を行える。
【００４８】
マイナス端子６の取付は、具体的には、固着部４４がホルダ本体４の外側になるようにマイナス端子６のほぼコ字状の取付部４１の開口部と第２端子装着部１４の端子取付部２２の上端部とをつき合わせて、取付部４１を端子取付部２２に被せるように移動させ、取付部４１の第２折曲部４５ｂと第３折曲部４５ｃとの間の端子６が端子取付部２２の上端部に接触すると、第１、第２係止片４８、４９が端子取付部２２の下面にそれぞれ面接触（係合）し、マイナス端子６がホルダ本体４に係止される。
【００４９】
このとき、端子取付部２２の両面には傾斜面２３、２４がそれぞれ設けられているので、第１、第２係止片４８、４９が取付部４１内にそれぞれ延在していても、容易にマイナス端子６を第２端子装着部１４の端子取付部２２に取り付けることができる。
また、係止部４２である第１、第２係止片４６、４９は、端子６の長手方向に沿って延在するコ字状の切り込みによって形成されているため、簡単な形状で確実にマイナス端子６の係止を行える。
【００５０】
このように得られた電池ホルダ１にボタン電池２を収容させるには、ボタン電池２をマイナス極側の円形面が底板７側になるようにして、ボタン電池２の周面をプラス端子５の弾性端子部３３に接触させる。このとき、弾性端子部３３と接触している周面と対向する周面側のボタン電池２は第２周壁９上に位置される。つまりボタン電池２は電池収容部１０（底板７）に対して傾斜した状態である。
【００５１】
このボタン電池２の第２周壁９上にある部分をプラス端子５側に押す（スライドさせる）と、ボタン電池２の周面と接触している弾性端子部３３がその押圧力によって付勢力に抗して弾性変形してボタン電池２がプラス端子５方向に移動（スライド移動）し、この接触箇所と対向する箇所のボタン電池２が第２周壁９の突出片２５、２５を越えることにより、ボタン電池２が電池収容部１０内に入る。電池収容部１０内に入ったボタン電池２は、図２及び図３に示すように、弾性端子部３３の付勢力（復元力）により第２周壁９方向に押圧されて移動して第２周壁９に当接すると共に、突出片２５、２５がボタン電池２のプラス極側の円形面に接触する。また、この突出片２５、２５が接触した箇所と対向する円形面にはプラス端子５の接触片３４が接触しているので、ボタン電池２は電池収容部１０内に嵌め込まれて電池収容部１０からの離脱が防止された状態で収容されることになる。
【００５２】
このように、電池収容部１０に収容されたボタン電池２の周面にプラス端子５の弾性端子部３３が接触すると共に、プラス極側の円形面に接触片３４が接触するので、ボタン電池２のプラス極とプラス端子５とが電気的に接続された状態となる。
また、ボタン電池２が電池収容部１０内に入ったとき、底板７近傍から電池収容部１０内にマイナス端子６の接触端子部３３が傾斜されているので、マイナス極側の円形面が接触端子部３３を押圧した状態で接触するので、ボタン電池２のマイナス極とマイナス端子６とが電気的に接続された状態となる。
【００５３】
したがって、本発明の電池ホルダ用端子は、端子として十分に機能することから、プラス端子５及びマイナス端子６はいずれも細長のほぼ矩形状の金属片３０、４０を折り曲げて形成されているため、１枚の金属板から多数のプラス端子５及び／又はマイナス端子６を製造する場合には、無駄になる部分が少ない。このため、プラス端子５及びマイナス端子６は、大量生産に特に適するので、生産コストを可及的に低減することができるものである。
【００５４】
また、ボタン電池２は、プラス端子５の弾性端子部３３の付勢力によって電池収容部１０に収容されるため、プラス端子５がボタン電池２を電池収容部１０に収容（係止）させるために寄与しているので、ボタン電池２を係止するための部材を少なくすることができ、電池ホルダ１としての全体的な低コスト化及び軽量化につながる。
【００５５】
また、プラス端子５の取付部３１はほぼコ字状に折り曲げられて形成されていると共に、弾性端子部３３は、取付部３１に連接されてほぼＵ字状に折り曲げられて形成され、かつ、接触端子部がボタン電池２のプラス極側円形表面に接触する接触片３４であるので、プラス端子５は形状が複雑ではなく簡単な形状であるので、容易に製造することができる。
【００５６】
また、弾性端子部３３のボタン電池２に接触する箇所の両側部又は両側部近傍には、ボタン電池２側に突出する接触部３９、３９がそれぞれ設けられているため、ボタン電池２は２つの接触部３９、３９の２箇所に接触するので、端子の１箇所に接触する場合に比してボタン電池２の横ずれを防止することができる。
【００５７】
また、接触片３４の先端部をボタン電池２のプラス極側円形表面とは反対側に湾曲又は屈曲させることにより、ボタン電池２を電池収容部１０に収容させるべく接触片３４に接触させるとき、接触片３４の先端部が板状であると、その先端部に引っかかることもあり得るが、その心配もなく、ボタン電池２の収容をスムーズに行える。また、電池収容部１０に収容されているボタン電池２を取り外すときには、平板状の接触片３４がボタン電池２の円形表面に接触している場合に比してボタン電池２の取出を容易に行える。
【００５８】
また、マイナス端子６の取付部４１はほぼコ字状に折り曲げられて形成されていると共に、接触端子部４３は、取付部４１を第２周壁９に取り付けたとき、電池収容部１０に収容されたボタン電池２のマイナス極側円形表面に接触すべく底板の近傍から底板７に対して傾斜して折り曲げて形成されているため、マイナス端子６は、形状が複雑ではなく簡単な形状であるので、容易に製造することができ、低コスト化を図れる。
【００５９】
また、マイナス端子６の接触端子部４３の先端部を、ボタン電池２のマイナス極側円形表面とは反対側に湾曲又は屈曲させることにより、電池収容部１０にボタン電池２を収容するとき、接触端子部４３の先端部が板状であると、その先端部に引っかかることもあり得るが、その心配もなく、ボタン電池２の収容をスムーズに行える。
【００６０】
また、マイナス端子６の接触端子部４３が２つ以上（図示例では２つ）の接触端子片４７、４７からなると、ボタン電池２のマイナス極側円形表面に１つの接触端子部が接触する場合よりボタン電池２ががたつきにくいので、ボタン電池２を電池収容部１０に安定して収容することができる。
【００６１】
【発明の効果】
以上要するに請求項１に記載の発明によれば、生産コストを可及的に低減することができる電池ホルダ用端子が得られる。
【００６２】
請求項２に記載の発明によれば、電池ホルダとしての全体的な低コスト化につながる。
【００６３】
請求項３に記載の発明によれば、プラス端子は、その形状が複雑ではなく簡単な形状であるので、容易に製造することができ、低コスト化を図れる。
【００６４】
請求項４に記載の発明によれば、ボタン電池は端子の両側部又は両側部近傍の２つの接触部の２箇所に接触するので、端子の１箇所に接触する場合に比してボタン電池の横ずれを防止することができる。
【００６５】
請求項５に記載の発明によれば、ボタン電池の収容をスムーズに行えると共に、ボタン電池の取出を容易に行える。
【００６６】
請求項６に記載の発明によれば、形状が複雑ではなく簡単な形状であるので、容易に製造することができ、低コスト化を図れる。
【００６７】
請求項７に記載の発明によれば、ボタン電池の収容をスムーズに行える。
【００６８】
請求項８に記載の発明によれば、ボタン電池を電池収容部に安定して収容することができる。
【００６９】
請求項９に記載の発明によれば、簡単な形状で確実に係止することができる係止部が得られる。
【図面の簡単な説明】
【図１】本発明の電池ホルダ用端子を用いて電池ホルダを構成する一例を示す分解斜視図である。
【図２】本発明の電池ホルダ用端子を用いた電池ホルダにボタン電池を装着した状態を示す斜視図である。
【図３】本発明の電池ホルダ用端子を用いた電池ホルダにボタン電池を装着した状態を示す断面図である。
【図４】本発明のプラス端子の一例を示す斜視図である。
【図５】本発明のプラス端子の他の例を示す斜視図である。
【図６】本発明のプラス端子の他の例を示す斜視図である。
【図７】本発明のマイナス端子の一例を示す斜視図である。
【図８】本発明のマイナス端子の他の例を示す斜視図である。
【符号の説明】
１　　電池ホルダ
２　　ボタン電池
５　　プラス端子
６　　マイナス端子
７　　底板
８　　第１周壁
９　　第２周壁
１０　電池収容部
３０　金属片
３１　取付部
３２　係止部
３３　弾性端子部
３４　接触端子部
３７　第１係止片
３８　第２係止片
３９　接触部
４０　金属片
４１　取付部
４２　係止部
４３　接触端子部
４６　スリット
４７　接触端子片
４８　第１係止片
４９　第２係止片
【図１】
2004039347.tif 000003
【図２】
2004039347.tif 000004
【図３】
2004039347.tif 000005
【図４】
2004039347.tif 000006
【図５】
2004039347.tif 000007
【図６】
2004039347.tif 000008
【図７】
2004039347.tif 000009
【図８】
2004039347.tif 000010